(57)【要約】      （修正有）【課題】犬の散歩の時の排便を、誰もが楽にきれいに回収出来るように考案した。先ず、軽くて持ち運びに苦労せず、操作が簡単であること、誰もが買い求め易くするため、余計な物は一切省き、いたってシンプルなものとした。【解決手段】軽くて簡単に操作が出来るように、ポリ容器のスクリューからヒントを得て、糞を取るポリ袋押さえとした。更に持ち運びがし易い様に、柄を伸縮出来る様にした。排便の時、受け取りに失敗して、輪に便が付いても心配ない様にポリ袋の取り付けを工夫した。【選択図】図７
0003106463.tif 000002
【実用新案登録請求の範囲】
【請求項１】
糞を受け取る輪は、軽く、且つ加工しやすい様に塩化樹脂（ポリプロピレン等）を使用し、ポリ袋を押さえるための外輪をスクリューにした糞取り器
【請求項２】
柄の部分は、釣竿の素材等に使われている、カーボン材を使用し軽くて丈夫、且つ伸縮自在とし、持ち運びが便利の様に考案した糞取り器
【請求項３】
ポリパックが最適であるが、他のビニール袋等の取り付けも容易である。いずれも、外枠の輪に糞が付かない様に、取り付けを工夫した糞取り器
【考案の詳細な説明】
【考案の詳細な説明】
【技術分野】
【０００１】この考案は、野外に於いて、犬の糞を簡単に且つ、完全に回収するための糞取り器に関するものである。
【背景技術】
【０００２】本、考案の属する技術分野には、従来様々な方式が考案されている。
文献  特開２００１−１０３８５９  の様にバケットで挟んで拾う「ショベル式」
文献  特開２００１−３５２８５４  の様に挟んで拾う「火挟み式」
文献  実登３０８０９５８  の様に受けて拾う「ちりとり式」実登３０４１６３５も同じ私の考案した「受け輪式」に類似した物も少なくない。
文献  特開２００３−３１００８４  実開平０５−０６０２６２  実登３０７７６５１    特開２００３−１０２３１１  等はかなり精巧に考案されている。
中でも私の考案に近いのは  文献  特開平１１−１５５４１０  と実開平０６−０４５４４３である。これ等の品々から、過去多くの先輩達が糞を取る為の苦労を解消する為に様々な工夫がなされていた事が多々伺える。
いずれも特長があり、それなりに工夫され目的達成のために考案されている。
が、より軽く、より簡単に、よりシンプルにと、考案し、どれにもない特長を持っていると確信する。それは糞を取る為の柄の部分と、袋の取り付ける輪がスクリューに最大の特徴がある。
【考案の開示】
【考案が解決しようとする課題】
【０００３】  愛犬を散歩させる際、必ず予想されるのが排便。この後始末に多くの皆さんが、苦労している。故に、それぞれに工夫もして回収しているが、今だ、大多数の方々は、ビニール袋を手にはめ掴み取って居るのが現状。生暖かでヌルットした感触。之が又、厄介の原因にもなり、中には「気持ち悪い。」「メンドクサイ。」と、回収せずに、そのまま放置している者が居るのである。
これ等の苦労を何とか解消できないものか。そして誰もが楽に、しかも衛生的にも完全回収出来る様にと考案したものが、本、糞取り器である。
【課題を解決するための手段】
【０００４】  柄の先端に取り付けた輪に、瓶等のスクリューネジにヒントを得て、ポリ袋の保持具として使用し、取り付け、或いは取り外しを簡単に出来るようにした。
更に、持ち運びに便利なように、出来るだけ軽く、コンパクトになる様、柄を伸縮出来る様にした。しかもトラブルを無くする為に複雑な物は一切省きシンプルなものに考案した。
【考案の効果】
【０００５】  本考案は、先ず一番の目的である「完全回収」が楽な姿勢で、しかも、片手で容易に出来、環境を汚さないこと、且つコンパクトなため持ち運びが、苦にならない。若い女性の方などは汚い物を出来るだけ見せたくないという心理もあるので、手ごろなバック等に入れて持ち運ぶ事も出来る。したがってペットを連れての旅行の折にでも持参し使用する事も出来る。
特に、構造も極めてシンプルであり、生産コストも安く、買い易い手ごろな値段で提供出来るものと考える。
回収した糞は、そのまま持ち帰って、現在は殆どの自治体では生ごみとして出して差し支えないと思うが行政にしたがって処理すべきである。
【考案を実施するための最良の形態】
【０００６】  本考案の何と言っても最大の特徴は、軽くて使い易い点にある。立ったままの自然体で楽に、老若男女を問わず誰でも、目的である犬の糞を回収する事が、出来ると言う点にある。回収に使うポリ袋も必ずしも此れに限ったものではない。使い捨てのビニール袋でも薄い紙袋でもかまわない。
【実施例１】
【０００７】  実施に当たっては、先ず、図１の様に柄を引き伸ばし、本体図３から外輪をネジって図２のように取り外す。
取り外した外輪に図４の様に、口を開いたポリ袋の中に３〜４ｃｍ程入れ、ポリ袋の口の部分を輪の中に折り込む。
折り込んだ状態のまま本体輪図５に戻し、ネジって締める。
次に、図６の様に上向きになったポリ袋を、本体輪の中に押し込むと図７の状態になりこれで準備は完了となる。
【実施例２】  犬の散歩時には、必ず、本考案の用具を持参。コンパクトに柄を縮めたままでもよし、バックや手提げに入れるもよし、初めから柄を引き伸ばして持参するもよし自分の都合や、使い勝手に合わせて持参。
愛犬が排便の姿勢になったら図７の状態で糞をキャッチングする。
犬が排便中多少移動したり、或いは、手元が狂って外枠に糞がかかっても心配無用。場合によっては、２度３度の排便にも回収は可能である。
【実施例３】  愛犬にもよるが、排便が終わった段階で、もちろ糞を回収した状態で持ち帰って結構なのだが、本器具の柄を縮めてバッグや手提げに収納する事も可能である。
帰宅後、ポリ袋に入っている糞は、本体に取り付けた外枠の輪を取り外し、ポリ袋を縛って、生ごみとしてゴミと一緒に出し処理する。
【図面の簡単な説明】
【０００８】
【図１】柄を伸ばしポリ袋を取り外した状態
【図２】輪本体から取り外した外輪
【図３】外輪を取り外した本体の輪
【図４】外輪にポリ袋を取り付けた状態。
【図５】本体の輪  図４の外輪をポリ袋まま取り付ける。
【図６】本体の輪にポリ袋を取り付けた状態
【図７】内輪本体にポリ袋を上から中へ押し込んだ状態  使用時の状態
【図８】本体にポリ袋が取り付けられた断面図
0003106463.tif 000003
【図２】
0003106463.tif 000004
【図４】
0003106463.tif 000005
【図６】
0003106463.tif 000006
【図７】
0003106463.tif 000007
【図８】
0003106463.tif 000008
【手続補正書】
【提出日】平成16年4月14日(2004.4.14)
【手続補正１】
【補正対象書類名】実用新案登録請求の範囲
【補正対象項目名】全文
【補正方法】変更
【補正の内容】
【実用新案登録請求の範囲】
【請求項１】
排泄する糞を受け取りやすいように柄１と内枠２の輪の取り付け角を４０°程度にする為、内枠２の輪の中央に挿入穴を開け伸縮自在の柄１の先端を貫通させ、その直下に柄１を支持するための突き出し５を設けて柄１の先端と直結しポリ袋５を押さえる為に内枠２の輪の上部と外枠３の輪の噛み合わせに両枠の接面に突起６（図２）を設け、組み合わせ、ポリ袋の支持と枠が糞で汚れないように図２のようにポリ袋を折り込み外枠３の輪を捻じって留める事を特長とする糞取り器である。
0003106463.tif 000009
【手続補正書】
【提出日】平成16年7月27日(2004.7.27)
【手続補正１】
【補正対象書類名】実用新案登録請求の範囲
【補正対象項目名】全文
【補正方法】変更
【補正の内容】
【実用新案登録請求の範囲】
【請求項１】
伸縮自在の柄（１）の先端に円形の内輪（２）を地面と平行になるように傾斜させて取り付け、ポリ袋（４）を峡持させる為に、外輪（３）を設けポリ袋を折り返して捻じって留める事を特長とする犬の糞取り器。
【手続補正２】
【補正対象書類名】図面
【補正対象項目名】全図
【補正方法】変更
【補正の内容】
【図１】
0003106463.tif 000010
【図２】
0003106463.tif 000011
【手続補正３】
【補正対象書類名】明細書
【補正対象項目名】０００８
【補正方法】変更
【補正の内容】
【０００８】
【図１】柄を伸ばしポリ袋を取り外した状態の見取り図  柄（１）  内輪（２）  外輪（３）  ポリ袋（４）  柄の取り付け支持板（５）
【図２】外輪と内輪の断面図とポリ袋の折込み方  内輪（２）  外輪（３）  ポリ袋（４）
【手続補正４】
【補正対象書類名】明細書
【補正対象項目名】０００７
【補正方法】変更
【補正の内容】
【０００７】【実施例１】  実施に当たっては、図１のように柄（１）を引き伸ばし内輪（２）から外輪（３）を捻じって取り外す。取り外した外輪（３）を、ポリ袋の口の中に２〜３ｃｍ程入れポリ袋の口の方を輪の中に折り込む。この状態で本体の内輪（２）に戻し捻じって止め上向きのポリ袋を輪の中に押し込み準備完了。【実施例２】  犬の散歩には、本考案の糞取り器を持参。愛犬が排便の姿勢になったら図１の状態で犬の尻に当て糞をキャッチする。排便中犬が多少移動したり、或いは手元が狂って外枠に糞が掛かっても心配無用。２度３度と排便する犬でも回収は可能。【実施例３】  愛犬にもよるが、排便が終わった段階で、そのままの状態で家に持ち帰るもよし、柄を縮めてバック等に収納するのも良い。ポリ袋の糞はそのまま家に持ち帰り、生ゴミとして処理する。